(57)【要約】【課題】傾斜のきつい場所にも設置して墨出し作業が行えるとともに、ケースを回転させても地墨の位置がずれない小型のレーザ墨出し器を提供する。【解決手段】ハンドルレバー１８は、回転台１３に設けたレバー支持軸１７を中心として水平面と略平行な面内で回動自在に軸支され、オン位置まで回転するとハンドルレバー１８の押圧操作片１８ｃが電源スイッチ２０のレバー２０ａを押して閉極させ、電池からレーザ投射部２へ電源を供給させる。ロックレバー２１はレバー支持軸１７を間にして電源スイッチ２０と反対側に配置され、ハンドルレバー１８がオフ位置まで回転すると、ハンドルレバー１８の第２の駆動脚部１８ｅが連動突出片２１ｃを押すことでロック方向に回転し、押圧片２１ｂがレーザ投射部２を凹部１３ａの内周面に押し付けてレーザ投射部２の位置をロックする。【選択図】図１
2005121609.tif 000002
【特許請求の範囲】
【請求項１】
電池を保持した本体と、本体内部の収納室に鉛直方向に起立した姿勢を保つように揺動自在に支持され、前記電池から電源供給を受けて墨出しのためのレーザ光を外部に照射するレーザ投射部と、前記本体に設けたレバー支持軸を中心として水平面と略平行な面内で回動自在に軸支されたハンドルレバーと、ハンドルレバーがオフ位置まで回転するとハンドルレバーによって開極操作が行われて電池からレーザ投射部への電源供給を遮断するとともに、ハンドルレバーがオン位置まで回転するとハンドルレバーによって閉極操作が行われて電池からレーザ投射部へ電源を供給させる電源スイッチと、レバー支持軸を間にして電源スイッチと反対側に配置され、ハンドルレバーがオフ位置まで回転すると、ハンドルレバーによってレーザ投射部側に押され、レーザ投射部を収納室の内側壁に押し付けることでレーザ投射部をロックするとともに、ハンドルレバーがオン位置まで回転すると、ハンドルレバーによってレーザ投射部から離れる向きに押されることで、レーザ投射部を開放してロックを解除するロック部材と、を備えて成ることを特徴とするレーザ墨出し器。
【請求項２】
ロック部材は、ハンドルレバーとの対向部位にハンドルレバー側に突出する連動突出部を有し、ハンドルレバーの回動面と同一の面内で本体に対して回動自在に軸支されており、ハンドルレバーに、オン方向への回転時に連動突出部と当接してロック部材をレーザ投射部から離れる向きに押圧駆動する第１の駆動脚部と、オフ方向への回転時に連動突出部と当接してロック部材をレーザ投射部に近付く向きに押圧駆動する第２の駆動脚部とを設け、ハンドルレバーをオン位置又はオフ位置で保持するための保持力を与えるばねの一端を本体に取着するとともに、ハンドルレバーがオン位置とオフ位置との間を移動する間に、前記ばねの一端とレバー支持軸とを結んだ分岐線を越えて反対側に移動するようなハンドルレバーの部位に前記ばねの他端を取り付けたことを特徴とする請求項１記載のレーザ墨出し器。
【発明の詳細な説明】
【技術分野】
【０００１】
本発明は、レーザ光によるライン光を利用して墨出し作業を行うためのレーザ墨出し器に関するものである。
【背景技術】
【０００２】
この種のレーザ墨出し器としては、例えば特許文献１に示すような構造を有するものが従来より提供されている。このレーザ墨出し器は円筒状のケースを有し、このケースの内部に円柱状のレーザ投射部を収納してあり、レーザ投射部から投射されるレーザ光はケースに設けた窓孔を通して外部に投射される。ケースにはレーザ投射部を全周方向において揺動自在に枢支する枢支手段が設けられており、レーザ投射部の自重でレーザ投射部が鉛直方向に起立した姿勢を保つように揺動することで、レーザ投射部から投射されるライン状のレーザ光が水平或いは垂直方向に投射されるようになっている。
【０００３】
このように円筒状のレーザ投射部は、鉛直方向に起立した姿勢を保てるようケースに対して全周方向に揺動自在に取り付けられているため、運搬時などにレーザ投射部がケースの内壁に衝突して破損するのを防止するために、非使用時にはレーザ投射部の揺動を規制する必要がある。
【０００４】
そこで、特許文献１に示されるレーザ墨出し器では、一端部がケースに対して枢支され、レーザ投射部の中心軸方向と略直交する平面内で回動自在に回動するロック部材を設けてあり、このロック部材の他端部をレーザ投射部に近付く向きに弦巻ばねによって付勢してある。またケースには、ユーザによる操作に応じてロック部材をロック方向又はロック解除方向に回転させるためのハンドルレバーが、ロック部材の回転面と同一の面内で回動自在に設けてある。また更に、このレーザ墨出し器ではロック部材及びハンドルレバーの回転面内で、ハンドルレバーの片側にロック部材とマイクロスイッチからなる電源スイッチを配置し、且つ、この電源スイッチとレーザ投射部との間にロック部材を配置してある。
【０００５】
ここで、レーザ墨出し器の非使用時にハンドルレバーをロック位置まで回転させると、ハンドルレバーによってロック部材が押圧されなくなり、ロック部材が弦巻ばねのばね力によって一方向に回転し、ロック部材の他端部でレーザ投射部を押し、レーザ投射部の周りを囲う周壁部に押し付けることで、レーザ投射部の位置をロックしている。この時同時に、ロック部材が電源スイッチから離れてレーザ投射部側に移動することで、電源スイッチが開動し、レーザ投射部への電源供給を遮断する。
【０００６】
一方、レーザ墨出し器の使用時にハンドルレバーをロック解除位置まで回転させると、ハンドルレバーによってロック部材がロック解除方向に押圧され、弦巻ばねのばね力に抗してロック部材が反対方向に回転し、ロック部材の他端部がレーザ投射部から離れて、周壁部の外側に後退することで、レーザ投射部が開放されロックが解除されるようになっている。またこの時、ロック部材の他端部がレーザ投射部から離れ、電源スイッチに近付く向きに移動して電源スイッチのレバーを押すことで、電源スイッチが閉動し、レーザ投射部に電源が供給されるようになっている。つまり、ロック部材を操作するためのハンドルレバーを電源のオン／オフのためハンドルレバーとして兼用している。
【特許文献１】特開平１１−３０５２０号公報
【発明の開示】
【発明が解決しようとする課題】
【０００７】
上述のレーザ墨出し器では、ロック部材及びハンドルレバーの回転面内でハンドルレバーの片側にロック部材と電源スイッチとを配置し、且つ、レーザ投射部と電源スイッチとの間にロック部材を配置しているのであるが、小型化のためにレーザ投射部と電源スイッチとの間隔を短くすると、ロック部材が移動する距離が短くなり、レーザ投射部とレーザ投射部の周りを囲む周壁部との間の距離を短くする必要がある。この場合、レーザ投射部と周壁部との間の遊びが狭くなり、傾斜の急な場所にレーザ墨出し器を設置すると、レーザ投射部が周壁部に当接し、鉛直方向に起立した姿勢を保てなくなって、墨出し作業ができなくなる虞があった。
【０００８】
一方、レーザ投射部と電源スイッチとの間の距離を長くした場合は、ロック部材が移動する距離が長くなって、レーザ投射部と周壁部との間の遊びを十分に確保できるものの、ロック部材に対してレーザ投射部と反対側に電源スイッチが配置されている関係上、レーザ投射部をケースの中心位置に配置し難くなる。ケース自体を大きくすれば、レーザ投射部をケースの中心位置に配置できるが、ケースの小型化が図れなくなる。そして、レーザ投射部の位置をケースの中心位置からずらして配置した場合は、垂直ラインの向きを変えるためにケース全体を回転させた場合にレーザ投射部から鉛直下向きに照射される地墨がずれてしまい、作業性が悪くなるという問題もあった。
【０００９】
本発明は上記問題点に鑑みて為されたものであり、その目的とするところは、傾斜の急な場所に設置しても墨出し作業が行えるとともに、ケースを回転させても地墨の位置がずれない小型のレーザ墨出し器を提供することにある。
【課題を解決するための手段】
【００１０】
上記目的を達成するために、請求項１の発明は、電池を保持した本体と、本体内部の収納室に鉛直方向に起立した姿勢を保つように揺動自在に支持され、電池から電源供給を受けて墨出しのためのレーザ光を外部に照射するレーザ投射部と、本体に設けたレバー支持軸を中心として水平面と略平行な面内で回動自在に軸支されたハンドルレバーと、ハンドルレバーがオフ位置まで回転するとハンドルレバーによって開極操作が行われて電池からレーザ投射部への電源供給を遮断するとともに、ハンドルレバーがオン位置まで回転するとハンドルレバーによって閉極操作が行われて電池からレーザ投射部へ電源を供給させる電源スイッチと、レバー支持軸を間にして電源スイッチと反対側に配置され、ハンドルレバーがオフ位置まで回転すると、ハンドルレバーによってレーザ投射部側に押され、レーザ投射部を収納室の内側壁に押し付けることでレーザ投射部をロックするとともに、ハンドルレバーがオン位置まで回転すると、ハンドルレバーによってレーザ投射部から離れる向きに押されることで、レーザ投射部を開放してロックを解除するロック部材と、を備えて成ることを特徴とする。
【００１１】
また請求項２の発明は、請求項１の発明において、ロック部材は、ハンドルレバーとの対向部位にハンドルレバー側に突出する連動突出部を有し、ハンドルレバーの回動面と同一の面内で本体に対して回動自在に軸支されており、ハンドルレバーに、オン方向への回転時に連動突出部と当接してロック部材をレーザ投射部から離れる向きに押圧駆動する第１の駆動脚部と、オフ方向への回転時に連動突出部と当接してロック部材をレーザ投射部に近付く向きに押圧駆動する第２の駆動脚部とを設け、ハンドルレバーをオン位置又はオフ位置で保持するための保持力を与えるばねの一端を本体に取着するとともに、ハンドルレバーがオン位置とオフ位置との間を移動する間に、ばねの一端とレバー支持軸とを結んだ分岐線を越えて反対側に移動するようなハンドルレバーの部位にばねの他端を取り付けたことを特徴とする。
【発明の効果】
【００１２】
以上説明したように、請求項１の発明では、電源スイッチとロック部材とをハンドルレバーのレバー支持軸を間にして反対側に配置し、ハンドルレバーによって電源スイッチを開極又は閉極しているので、小型化のためにレーザ投射部と電源スイッチとの配置間隔を狭めたとしても、ロック部材の移動する距離が短くなることはなく、レーザ投射部と収納室の内側壁との間の隙間を十分確保できるから、レーザ墨出し器の設置面の傾きに応じてレーザ投射部が揺動したとしても、レーザ投射部が収納室の内側壁に当たりにくくなり、傾斜の急な設置面にもレーザ墨出し器を設置して墨出し作業を行うことができる。また従来のレーザ墨出し器のようにレーザ投射部と電源スイッチとの間にロック部材を配置して、ロック部材で電源スイッチを開極又は閉極する場合、レーザ投射部と収納室の内側壁との間の遊びを大きくとるためにロック部材の移動する距離を長くとると、ロック部材に対してレーザ投射部と反対側に電源スイッチが配置されている関係から、レーザ投射部と電源スイッチとの配置間隔が大きくなって、本体の中央にレーザ投射部を配置しにくくなるが、請求項１の発明では、電源スイッチとロック部材とをハンドルレバーのレバー支持軸を間にして反対側に配置し、ハンドルレバーによって電源スイッチを開極又は閉極しているので、レーザ投射部と収納室の内側壁との間の遊びを大きくとるためにロック部材の移動する距離を長くとったとしても、電源スイッチとレーザ投射部との間の距離が長くなることはない。したがって、本体を大型化することなく本体の中央にレーザ投射部を配置しやすくなり、レーザ投射部から鉛直下方に地墨を投射する場合は、本体を回転させても地墨の位置がずれないから作業性が向上する。
【００１３】
また請求項２の発明では、ハンドルレバーの回転に応じて第１又は第２の駆動脚部が連動突出部を押圧することにより、ハンドルレバーと連動してロック部材を何れかの方向に回転させることができ、且つ、ハンドルレバーがオン位置とオフ位置との間を移動する間に、ばねの一端とレバー支持軸とを結んだ分岐線を、ハンドルレバーに取着されたばねの他端が越えて反対側に移動するので、ハンドルレバーをオン位置とオフ位置との間の位置まで回転させた時にばねが最も圧縮されて、その復帰力が最大となり、オン位置及びオフ位置ではばねの他端を取着したハンドルレバーの部位がばねの一端から遠ざかる方向にハンドルレバーを回転させるような力が発生する。したがって、ハンドルレバーのオン位置ではハンドルレバーを更にオン方向へ回転させるような力が加わるため、ロック部材が不意にロック方向に回転してレーザ投射部を押圧することはなく、またハンドルレバーのオフ位置ではハンドルレバーを更にオフ方向へ回転させるような力が加わるため、ロック部材が不意にロック解除方向に回転してレーザ投射部のロックが解除されるのを防止できる。
【発明を実施するための最良の形態】
【００１４】
以下に本発明の実施の形態を図１〜図４に基づいて説明する。
【００１５】
本実施形態のレーザ墨出し器は、図３及び図４に示すように、動作電源を供給するための電池（図示せず）を入れる電池ボックス３が設けられた本体１と、本体１内部の円柱状の収納室４に鉛直方向に起立した姿勢を保てるよう全周方向に揺動自在に支持され、電池ボックス３内の電池から電源供給を受けて墨出しのためのレーザ光を照射するレーザ投射部２とを備える。
【００１６】
本体１は、３本の支持脚１１が下面に突設され、支持脚１１を介して作業面に載置される基台１２と、基台１２の上面に回動自在に取り付けられる円盤状の回転台１３と、下面が開口した略円筒状であって回転台１３の上面に被着されるカバー１４とで構成され、カバー１４の表面に上述した電池ボックス３が配設されている。回転台１３の上面中央にはレーザ投射部２の下側部分が挿入される丸穴状の凹部１３ａが形成され、この凹部１３ａの周縁部にはジンバル機構１６を支持するための支柱１５が４本立設されている。ジンバル機構１６は、レーザ投射部２を第１支軸１６ａの周りに揺動自在に軸支する枠体（図示せず）と、この枠体を第１支軸１６ａと略直交する第２支軸（図示せず）の周りに揺動自在に軸支する支持体（図示せず）とを備え、このジンバル機構１６によってレーザ投射部２を全周方向に自在に揺動させ、自重によってレーザ投射部２が鉛直方向に吊持するようになっており、作業面の傾きに関わらずレーザ投射部２が鉛直方向に起立した姿勢を保持できるようになっている。
【００１７】
レーザ投射部２は縦長の投射部本体２ａを有し、投射部本体２ａの上部がジンバル機構１６によって全周方向に揺動自在に軸支されており、投射部本体２ａの下部には、半導体レーザと半導体レーザのレーザ光をスポット光に変換する光学系とを具備してレーザ光を鉛直下向きに投射するレーザ光出力部５が取り付けられている。また投射部本体２ａの上部及び中間部には、半導体レーザと半導体レーザのレーザ光をライン光に変換する光学系とを具備して、レーザ光による垂直ライン又は水平ラインを投射する複数台のレーザ光出力部６が取着されている。そしてレーザ光出力部５から投射されるレーザ光は、本体１の下面に設けた窓孔７を通して作業面に投射されて、レーザ光による地墨が作業面に投射され、複数台のレーザ光出力部６から投射される水平ライン又は垂直ラインは、カバー１４に設けた細長の窓孔８を通して壁面や天井面へ照射される。尚、レーザ投射部２には図示しないリード線を介して電池ボックス３内の電池から動作電源が供給されており、レーザ投射部２の揺動を妨げないようにリード線には可撓性を有するものを使用している。
【００１８】
また回転台１３の上面には、凹部１３ａの外側部に設けたレバー支持軸１７によってハンドルレバー１８が水平面と略平行な面内で回動自在に軸支されている。ハンドルレバー１８はレバー支持軸１７が挿入される孔を貫設した基部１８ａを有し、基部１８ａの周面からは先端部が外側に屈曲したレバー部１８ｂが突設されている。このレバー部１８ｂは本体１の窓孔９から露出しており、レバー部１８ｂの先端を外側に引き出した位置（オン位置）と、レバー部１８ｂの先端を内側に押し込んだ位置（オフ位置）との間で回転自在となっている。
【００１９】
また回転台１３の上面には、ハンドルレバー１８の基部１８ａの近傍に、レーザ投射部２への電源供給を入切するためのマイクロスイッチからなる電源スイッチ２０がレバー２０ａを基部１８ａ側に向けて配設されており、レバー部１８ｂをオン位置まで回転させたときにレバー２０ａを押圧する押圧操作片１８ｃが基部１８ａの周面に突設されている。この押圧操作片１８ｃには、一端が回転台１３の上面に取着された弦巻ばね１９の他端が取り付けられており、レバー部１８ｂをオン位置からオフ位置まで、或いはオフ位置からオン位置まで回転させると、弦巻ばね１９の一端とレバー支持軸１７とを結ぶ分岐線ａを弦巻ばね１９の他端が越えて反対側に移動するようになっている。つまり弦巻ばね１９の両端間の距離は、ハンドルレバー１８をオン位置又はオフ位置に回転させた時に最も長くなり、オン位置とオフ位置との間の略中間地点まで回転させた時に最も短くなるので、この中間地点では弦巻ばね１９が最も圧縮されて、そのばね復帰力が最大となる。また、オン位置及びオフ位置では弦巻ばね１９によって弦巻ばね１９の両端間の距離を広げるような方向の力が発生する。
【００２０】
また回転台１３の上面には、レバー支持軸１７を間にして電源スイッチ２０と反対側にロック部材２１（ロック部材）が配置されている。ロック部材２１は、回転台１３の上面に設けた回転軸２２が挿入される円筒状の基部２１ａと、基部２１ａの周面に突設されてレーザ投射部２の下部周面を押圧するＬ字形の押圧片２１ｂとを備え、基部２１ａの周面にはハンドルレバー１８側に突出する連動突片２１ｃ（連動突出部）が突設されている。またハンドルレバー１８の基部１８ａには、ロック部材２１の押圧片２１ｂと対向する部位の円周方向における両側部に押圧片２１ｂを押圧駆動する第１及び第２の駆動脚部１８ｄ，１８ｅが突設されている。
【００２１】
而して、このレーザ墨出し器を使用しない場合は、図１に示すようにレバー部１８ｂの先端を内側に押し込むと、ハンドルレバー１８がレバー支持軸１７を中心に図中時計回りに回転し、ハンドルレバー１８の回転に伴って押圧操作片１８ｃが電源スイッチ２０のレバー２０ａから離れるので、電源スイッチ２０が開極して、電池ボックス３に収納された電池からレーザ投射部２への電源供給が遮断される。この時同時にハンドルレバー１８の回転に伴って第２の駆動脚部１８ｅが連動突片２１ｃを押圧し、ロック部材２１が回転軸２２を中心に反時計回りに回転して、ロック部材２１の押圧片２１ｂがレーザ投射部２の下部周面を押圧する。そして、ハンドルレバー１８を図１に示すオフ位置まで回転させると、ロック部材２１の押圧片２１ｂによってレーザ投射部２が凹部１３ａの内周壁に押し付けられるので、レーザ投射部２の位置がロックされる。この時、本体１を動かしてもレーザ投射部２の位置が固定されているから、レーザ投射部２が凹部１３ａの内周壁に衝突して破損するのを防止できる。なおハンドルレバー１８を図２に示すオン位置から時計回りに回転させる場合、押圧操作片１８ｃに取着された弦巻ばね１９の他端が分岐線ａを越えて反対側に移動するまでは、弦巻ばね１９によってハンドルレバー１８がオン方向に付勢されているので、回し始めは弦巻ばね１９のばね力に抗してレバー部１８ｂを押し込み、その後押圧操作片１８ｃに取着された弦巻ばね１９の他端が分岐線ａを越えると、弦巻ばね１９によってハンドルレバー１８がオフ方向に付勢されるので、ハンドルレバー１８が急速にオフ方向に回転し、弦巻ばね１９のばね力によってハンドルレバー１８がオフ位置まで回転するとともに、ロック部材２１がロック位置で保持される。
【００２２】
一方、レーザ墨出し器を使用する場合は、図２に示すようにレバー部１８ｂの先端を外側に引き出すと、ハンドルレバー１８がレバー支持軸１７を中心に図中反時計回りに回転し、ハンドルレバー１８の回転に伴って押圧操作片１８ｃが電源スイッチ２０のレバー２０ａを押圧するので、電源スイッチ２０が閉極して、電池ボックス３に収納された電池からレーザ投射部２に電源が供給される。この時同時にハンドルレバー１８の回転に伴って第１の駆動脚部１８ｄが連動突片２１ｃを押圧し、ロック部材２１が回転軸２２を中心に時計回りに回転して、ロック部材２１の押圧片２１ｂがレーザ投射部２の下部周面から離れる向きに移動する。そして、ハンドルレバー１８を図２に示すオン位置まで回転させると、ロック部材２１の押圧片２１ｂが凹部１３ａの外側に後退するので、レーザ投射部２がその自重によって全周方向に揺動することにより、鉛直方向に起立した姿勢を保持することになる。ここで、ハンドルレバー１８を図１に示すオフ位置から反時計回りに回転させる場合、押圧操作片１８ｃに取着された弦巻ばね１９の他端が分岐線ａを越えて反対側に移動するまでは、弦巻ばね１９によってハンドルレバー１８がオフ方向に付勢されているので、回し始めは弦巻ばね１９のばね力に抗してレバー部１８ｂを引き出し、その後押圧操作片１８ｃに取着された弦巻ばね１９の他端が分岐線ａを越えると、弦巻ばね１９によってハンドルレバー１８がオン方向に付勢されるので、ハンドルレバー１８が急速にオン方向に回転し、弦巻ばね１９のばね力によってハンドルレバー１８がオン位置まで回転するとともに、ロック部材２１がロック解除位置で保持される。
【００２３】
ここで、本実施形態では電源スイッチ２０とロックレバー２１とをハンドルレバー１８のレバー支持軸１７を間にして反対側に配置し、ハンドルレバー１８によって電源スイッチ２０を開極又は閉極しているので、小型化のために投射部本体２ａと電源スイッチ２０との配置間隔を狭めたとしても、ロックレバー２１の移動する距離が短くなることはなく、投射部本体２ａと凹部１３ａの内側壁との間の隙間を十分確保できるから、設置面の傾きに応じて投射部本体２ａが揺動したとしても、投射部本体２ａが凹部１３ａの内側壁に当たりにくくなり、傾斜の急な設置面にもレーザ墨出し器を設置して墨出し作業を行うことができる。また従来のレーザ墨出し器のようにレーザ投射部２と電源スイッチ２０との間にロックレバー２１を配置して、ロックレバー２１で電源スイッチ２０を開極又は閉極する場合、レーザ投射部２と収納室の内側壁との間の遊びを大きくとるためにロックレバー２１の移動する距離を長くとると、ロックレバー２１に対してレーザ投射部２と反対側に電源スイッチ２０が配置されている関係から、レーザ投射部２と電源スイッチ２０との配置間隔が大きくなって、本体１の中央にレーザ投射部２を配置しにくくなるが、本実施形態では、電源スイッチ２０とロックレバー２１とをハンドルレバー１８のレバー支持軸１７を間にして反対側に配置し、ハンドルレバー１８によって電源スイッチ２０を開極又は閉極しているので、投射部本体２ａと凹部１３ａの内側壁との間の遊びを大きくとるためにロックレバー２１の移動する距離を長くとったとしても、電源スイッチ２０とレーザ投射部２との間の距離が長くなることはない。したがって、本体１を大型化することなく本体１の中央にレーザ投射部２を配置しやすくなり、垂直ラインの向きを変えるために基台１２に対して回転台１３を回転させたとしても、レーザ光出力部５から設置面に投射される地墨の位置がずれることはなく、作業性が向上する。
【００２４】
また本実施形態では弦巻ばね１９の一端を回転台１３の上面に取着するとともに、ハンドルレバー１８がオン位置とオフ位置との間を移動する間に上記の分岐線ａを越えて反対側に移動するようなハンドルレバー１８の部位（押圧操作片１８ｃ）に弦巻ばね１９の他端を取着してあり、ハンドルレバー１８をオン位置からオフ位置まで、或いは、オフ位置からオン位置まで回転させると、弦巻ばね１９の他端が上記の分岐線ａを越えて反対側に移動するため、弦巻ばね１９の両端間の距離はオン位置及びオフ位置で最も長くなり、オン位置とオフ位置との間の略中間地点で最も短くなる。したがって、ハンドルレバー１８をオン位置まで回転させて、レーザ投射部２のロックを解除した状態では、弦巻ばね１９のばね力によって更にオン方向へ回転させるような力がハンドルレバー１８に加わり、ハンドルレバー１８をオフ位置まで回転させると、弦巻ばね１９のばね力によって更にオフ方向へ回転させるような力がハンドルレバー１８に加わることになる。従来技術で説明した特許文献１に示されるものでは、ロック部材の他端がレーザ投射部２を押圧する向きに常に付勢されているので、使用状態で衝撃が加わるなどしてロック部材とハンドルレバーとの係合が外れると、ばねによる付勢力でロック部材がレーザ投射部を押して、レーザ投射部がロックされてしまう虞があるが、本実施形態ではハンドルレバー１８をオン位置まで回転させると（ロック解除状態）、弦巻ばね１９によってハンドルレバー１８を更にオン方向に回転させる力が働くので、不意にロック部材２１がレーザ投射部２を押圧する方向に回転することはなく、またハンドルレバー１８をオフ位置まで回転させると（ロック状態）、弦巻ばね１９によってハンドルレバー１８を更にオフ方向に回転させる力が働くので、不意にロック部材２１がレーザ投射部２から離れる向きに移動することはない。
【図面の簡単な説明】
【００２５】
【図１】本実施形態のレーザ墨出し器を示し、ハンドルレバーをオフ位置まで回した状態の横断面図である。
【図２】同上を示し、ハンドルレバーをオン位置まで回した状態の横断面図である。
【図３】同上を示し、図２のＡ−Ａ断面図である。
【図４】同上の外観斜視図である。
【符号の説明】
【００２６】
２      レーザ投射部
１３    回転台
１３ａ  凹部
１７    レバー支持軸
１８    ハンドルレバー
１８ｃ  押圧操作片
１８ｅ  第２の駆動脚部
２０    電源スイッチ
２０ａ  レバー
２１    ロックレバー
２１ｂ  押圧片
２１ｃ  連動突出片
【図１】
2005121609.tif 000003
【図２】
2005121609.tif 000004
【図３】
2005121609.tif 000005
【図４】
2005121609.tif 000006